(57)【特許請求の範囲】
【請求項１】
特に風力設備用のケーブル（７）のための取り付けシステムであって、
支持構造体（５５）に固定され、ケーブルブッシュ（５）を形成するベース体（１、３、５１）を備え、
前記ケーブルブッシュ（５）の各々は、前記ケーブル（７）を挿入するための開口を有するとともに、カバー手段（１５、１７）によって閉鎖され、
前記カバー手段（１５、１７）によって、前記ケーブル（７）に対して保持力が加えられる、取り付けシステムにおいて、
前記ベース体（１、３）上の前記ケーブルブッシュ（５）は、リングの少なくとも一部に亘って延在するように配置され、該ケーブルブッシュ（５）の各々は、径方向の外側部に開口を有し、
前記カバー手段（１５、１７）は、
前記ケーブルブッシュ（５）内に挿入された前記ケーブル（７）を予め固定するために前記ベース体（１、３）にロック可能な保持体（１５）と、
前記ベース体（１、３）を環囲するとともに、前記保持体（１５）を介して前記ケーブル（７）に保持力を加える締結ストリップ（１７）と、を有することを特徴とする、取り付けシステム。
【請求項２】
前記ベース体（１、３）は、内リング（１）と外リング（３）とを含む、環状のリング体の形状を有し、
前記内リング（１）は、好ましくは円状の支持部に取り付けることができ、
前記外リング（３）は、前記内リングを所定の距離で環囲するとともに、前記ケーブルブッシュ（５）を形成することを特徴とする、請求項１に記載の取り付けシステム。
【請求項３】
前記ベース体は、リング部（５１）を有し、
前記リング部（５１）は、前記ケーブルブッシュ（５）を形成し、且つ、環状線の一部に亘って延在し、該リング部（５１）の端部は、桟部材によって連結され、
前記桟部材は、直線ビーム（５３）の形態として、前記リング部（５１）に一体的に設けられ、
前記直線ビーム（５３）は、ブラケット（５５）の形態としての支持部に連結され、
前記ブラケット（５５）の端部（５７、５９）は、前記ビーム（５３）のそれぞれの端部を越えて突出し、
前記締結ストリップ（１７）の端部は、前記突出する端部（５７、５９）に固定されることを特徴とする、請求項１に記載の取り付けシステム。
【請求項４】
前記ベース体（１、３、５１）は、タブ状の溝状体（１１）の形態としてのケーブルブッシュ（５）を有し、
前記溝状体（１１）は、周方向に延在する壁部（１３、４１）によって、互いに連結されることを特徴とする、請求項１〜３のいずれか１項に記載の取り付けシステム。
【請求項５】
前記保持体（１５）は、クランプ部（２１）を有し、
前記クランプ部（２１）は、動作位置において、溝状体（１１）の開口内に突出するとともに、前記ケーブル（７）の各々に対して保持力を加える接触面（２３）を形成することを特徴とする、請求項１〜４のいずれか１項に記載の取り付けシステム。
【請求項６】
前記保持体（１５）のカバー面（２５）は、前記締結ストリップ（１７）の支持面として、接触面（２３）の反対側に位置し、外リング（３）の周方向の環状線に適合する弧を有することを特徴とする、請求項１〜５のいずれか１項に記載の取り付けシステム。
【請求項７】
外リング（３）は、溝状体（１１）の間において、２つの壁部（１３）を含み、
前記壁部（１３）の各々は、前記外リング（３）の軸方向の外側部を規定し、
前記溝状体（１１）の両側部において、径方向外側に開口する凹部（３１）が設けられ、
キャッチ突部（２９）とともに、径方向外側に向かう動作に対して前記保持体（１５）を保護することができるように、キャッチ（３３）が形成され、
前記キャッチ突部（２９）は、前記溝状体（１１）に覆い被せられる前記保持体（１５）の部分（２７）上に設けられることを特徴とする、請求項１〜６のいずれか１項に記載の取り付けシステム。
【請求項８】
壁部（１３）は、前記保持体（１５）のカバー面（２５）上に配置される接触面の両側において、前記締結ストリップ（１７）の、内側部における側方のガイドのためのガイド面（３５）を形成することを特徴とする、請求項１〜７のいずれか１項に記載の取り付けシステム。
【請求項９】
溝状体（１１）は、前記保持体（１５）の部分（２７）によって覆われ得る外側部（４３）上において、キャッチ（３３）を有し、
前記キャッチ（３３）は、キャッチ突部（２９）を含む前記保持体（１５）を、径方向外側に向かう動作に対して保護することができるように、形成されることを特徴とする、請求項１〜８のいずれか１項に記載の取り付けシステム。
【請求項１０】
前記保持体（１５）のカバー面（２５）は、径方向に突出するガイド突部（４７）を含み、
前記ガイド突部（４７）は、前記締結ストリップ（１７）の側方のガイドのためのガイド面（３５）を形成することを特徴とする、請求項１〜９のいずれか１項に記載の取り付けシステム。
【請求項１１】
前記保持体（１５）は、同じ形状に作製された２つの部材から構成され、
前記２つの部材は、互いに連結可能であり、該２つの部材の各々は、前記締結ストリップ（１７）のぞれぞれの側部のためのガイド面（３５）を含むガイド突部（４７）を有することを特徴とする、請求項１〜１０のいずれか１項に記載の取り付けシステム。
【請求項１２】
前記保持体（１５）は、バネハウジング（７１）を有し、
前記バネハウジング（７１）において、接触面（２３）を形成するクランプ部（２１）は、可動にガイドされ、且つ、バネ装置（６３）によって、クランプされるべき前記ケーブル（７）の方向に向かって、予め付勢されることを特徴とする、請求項１〜１１のいずれか１項に記載の取り付けシステム。
【発明の詳細な説明】
【技術分野】
【０００１】
本発明は、特に風力設備用の、ケーブルのための取り付けシステムに関する。この取り付けシステムは、ベース体を備え、該ベース体は、支持構造体に固定され、且つ、ケーブルブッシュを構成する。このケーブルブッシュは、それぞれ、ケーブルを挿入するための開口を有し、カバー手段によって閉鎖される。このカバー手段によって、保持力がケーブルに加えられる。
【背景技術】
【０００２】
風力タービンにて生成されたエネルギーを供給するため、および（例えば、制御、監視等といった）他の動作の目的のために、タワーを通過してナセル（ｎａｃｅｌｌｅ）内に延びるケーブルは、対応する支持構造体（特にタワーセグメント）に、確実に固定され得る。通常、クランプのようなベース体を有する取り付け構造が、この目的のために使用される。ここで、取り付け構造内に挿入されたケーブルが、固定され得る。これら取り付けシステムにおいては、相当する回数の螺子止めプロセスを実行する必要があり、負担の大きな取り付け作業を要する。これは、下方側からタワーを通過してナセル内に配線され、発電機ユニットに接続されるべきケーブルの取り付けに関して、特に当てはまる。従来の風力タービンにおいては、この発電機ユニットは、ナセルと共に、ナセルが後退する前に、３回転まで行うことができる。ケーブルは、動作することが可能となるように、タワー内に吊るされているケーブルループ上に配線されている。回転動作の間に、ケーブルが互いに擦り切れないように、ケーブルは、互いに所定の距離だけ離隔して保持される必要がある。この目的のために、ケーブルは、従来、例えばパイプセクションの形態としての、円形の支持構造体を用いて保持されている。この場合、パイプセクションの周囲にケーブルが分配され、簡単なクランプを用いて、ケーブルがパイプセクションに取り付けられる。極高い位置で行われる、このタイプの設置は、非常に手間が掛かるものである。
【０００３】
上述したタイプの取り付けシステムは、例えば、ＥＰ０６８１１３３Ａ２によって、知られている。公知の取り付けシステムは、パイプクランプとして構成されており、該パイプクランプは、１つのラインのための受容スペースを有する。この受容スペースは、上側のクランプ部と、下側のクランプ部に形成された、半球状の断面を有する半スペースによって、同時に固定される。２つのクランプ部は、関節を含む態様で、互いに連結され、キャッチ部によって、互いに強固に連結され得る。公知の取り付けシステムにおいては、上側のクランプ部に形成されたキャビティーによってクランプ内に配置されたラインに対して、所定の接触圧力の力が、加えられる。公知の手段においては、垂直に延びるラインのために求められる保持力に関して、改善の余地がある。
【発明の概要】
【発明が解決しようとする課題】
【０００４】
この観点から、本発明の目的は、対象のアプリケーションに特に適した取り付けシステムを利用可能とすることである。
【課題を解決するための手段】
【０００５】
本発明によれば、この目的は、請求項１の特徴を全て備えた取り付けシステムによって、達成される。
【０００６】
したがって、本発明の重要な事項は、以下に在る。すなわち、ナセルからタワー内に吊るされるケーブルループを形成するために、ベース体上のケーブルブッシュは、リングの少なくとも一部に亘って延在するように配置され、該ケーブルブッシュの各々は、径方向の外側部に開口を有する。ここで、本発明によれば、カバー手段のコンポーネントとしての保持体がさらに設けられ、該カバー手段は、ケーブルブッシュ内に挿入されるケーブルを予め固定するためにベース体にロック可能である。ケーブルが脱落に対して保護されているので、ケーブルを、ケーブルブッシュ内に連続して容易に挿入することができる。さらに、カバー手段は、保持体を介してケーブルに保持力を加える締結ストリップを有するので、リング構造体に保持される全てのケーブルを固定するのに、締結ストリップを張り渡すための唯一度の螺子止めプロセスを要することになる。
【０００７】
好ましい一実施形態として、ベース体は、内リングと外リングとを含む、環状のリング体の形状を有してもよい。ここで、内リングは、好ましくは円状の支持部に取り付けることができ、外リングは、内リングを所定の距離で環囲するとともに、ケーブルブッシュを形成する。したがって、ケーブルブッシュに固定されたケーブルは、支持部に対して相当の径方向距離を有するケーブルリングを形成する。これにより、相当の数の個々のケーブルを含む、比較的大きな直径のケーブルグループが、形成され得る。
【０００８】
平坦な支持構造体にベース体を取り付けるために、有利には、以下のように構成され得る。すなわち、ベース体は、リング部を有し、リング部は、ケーブルブッシュを形成し、且つ、環状線の一部に亘って延在し、該リング部の端部は、桟部材によって連結される。桟部材は、直線ビームの形態として、リング部に一体的に設けられる。直線ビームは、ブラケットの形態としての支持部に連結され、ブラケットの端部は、ビームのそれぞれの端部を越えて突出する。締結ストリップの端部は、突出する端部に固定される。
【０００９】
リング体またはリング部は、好ましくは、一周する円、または円の一部を形成するが、言うまでもなく、例えば多角形のような非円形状のリング形状であってもよい。
【００１０】
特に有利な例示的実施形態において、ベース体は、タブ状の溝状体の形態としてのケーブルブッシュを有し、溝状体は、周方向に延在する壁部によって、互いに連結される。このような構成において、保持体は、クランプ部を有し、該クランプ部は、動作位置において、溝状体の開口内に突出するとともに、ケーブルの各々に対して保持力を加える接触面を形成する。
【００１１】
特に有利には、以下のように構成され得る。すなわち、保持体のカバー面は、締結ストリップの支持面として、接触面の反対側に位置し、外リングの周方向の環状線に適合する弧を有する。このように形成された、保持体のカバー面は、締結ストラップに対して保護をもたらすのみならず、締結ストラップと最適に平らに接触させるための、外リングの仮想円周面の一部をも、形成することになる。
【００１２】
外リングの構成に関して、有利には、以下のように構成され得る。すなわち、外リングは、溝状体の間において、２つの壁部を含み、これら壁部の各々は、外リングの軸方向の外側部を規定する。溝状体の両側部において、径方向外側に開口する凹部が設けられ、キャッチ突部とともに、径方向外側に向かう動作に対して保持体を保護することができるように、キャッチが形成される。キャッチ突部は、溝状体に覆い被せられる保持体の部分上に設けられる。有利には、この例示的実施形態において、壁部は、保持体のカバー面上に配置される接触面の両側において、締結ストリップの、内側部における側方のガイドのためのガイド面を形成する。
【００１３】
他の有利な例示的実施形態においては、以下のように構成され得る。すなわち、溝状体は、保持体の部分によって覆われ得る外側部上において、突部を有し、該突部は、キャッチ突部を含む保持体を、径方向外側に向かう動作に対して保護することができるように、形成される。
【００１４】
このような例示的実施形態において、保持体のカバー面は、径方向に突出するガイド突部を含み、該ガイド突部は、締結ストリップの側方のガイドのためのガイド面を形成する。
【００１５】
保持体は、射出成型による１つの部材から作製されてもよいが、代替的には、同じ形状に作製された２つの部材から構成されてもよい。この場合、該２つの部材は、互いに連結可能であり、該２つの部材の各々は、締結ストリップのぞれぞれの側部のためのガイド面を含むガイド突部を有する。
【図面の簡単な説明】
【００１６】
【図１】本発明の一例示的実施形態に係る取り付けシステムの斜視図を示し、一例として、３本のみのケーブルの取り付けを示している。
【図２】図１から、１つのみの周縁セグメントを取り出して示した拡大図である。
【図３】図２と同様の図であって、本発明の第２の例示的実施形態を示す。
【図４】第１の例示的実施形態の一コンポーネントとして、１つのみの保持体の拡大斜視図を示す。
【図５】第２の例示的実施形態に係る保持体の拡大斜視図を示す。
【図６】図５に示す保持体を分解した状態を示す斜視図である。
【図７】第３の例示的実施形態の側面図を示す。
【図８】第３の例示的実施形態の斜視図を示す。
【図９】第３の例示的実施形態に係る保持体の、開放された拡大斜視図を示す。
【発明を実施するための形態】
【００１７】
以下、本発明について、図面に示された例示的実施形態を用いて詳細に説明する。
【００１８】
図１は、本発明の第１の例示的実施形態の全体を示しており、図１においては、内リング１および外リング３を備えた、円状のリング体の形態としてのベース体が示されている。外リング３の周縁全体に亘って、一連のケーブルブッシュ５が、分配されている。なお、図１においては、ケーブルブッシュ５の全てに符号を付していない。図１においては、例えば、ケーブル７は、ケーブルブッシュ５のうちの３つのみに、挿入されている。他のケーブルブッシュ５は、図面の見易さの観点から、ケーブルを挿入しない状態として、示されている。内リング１および外リング３は、径方向に延びるブレース９（図１においては、その一部にのみ、符号を付している）によって、互いに所定の距離だけ離隔して設けられている。内リング１および外リング３から形成される取り付けスターは、射出成型された１つの部材から作製される。ケーブルブッシュ５およびカバー手段の詳細な構造についついては、図２および図４に示されている。なお、カバー手段は、ケーブルブッシュ５の開口上において、該ケーブルブッシュ５と相互作用する。
【００１９】
図２に示すように、ケーブルブッシュ５は、溝状体１１（図１においては、その全てに符号を付していない）によって形成されている。溝状体１１は、径方向外側に向けて開口するとともに、壁部１３によって互いに連結された溝の形態として、形成されている。壁部１３は、外リング３の軸方向外側の境界を画定している。ケーブルブッシュ５用のカバー手段は、ケーブルブッシュ５の各々に対して１つ設けられた保持体１５と、全てのケーブルブッシュ５のために設けられた締結ストラップ１７とから構成されている。締結ストラップ１７は、外リング３の外周縁の全体に亘って延在しており、従来の締結ストラップと同様に、引張手段１９によって、堅く張り渡される。なお、引張手段１９は、クランプ螺子によって作動させることができる。図４は、第１の実施形態に係る保持体１５の１つを、個別に示している。この保持体１５は、射出成型された１つの部材の形態として形成されており、中央クランプ部２１を有する。対応するケーブルブッシュ５内に挿入されたケーブル７を予め固定するために、保持体１５が動作位置に移動された場合に、中央クランプ部２１は、１つの接触面２３にて、対応するケーブルブッシュ５と係合し、対応するケーブル７と接触する。接触面２３の反対側に位置する、保持体１５の頂部は、締結ストラップ１７と接触させるための弧状のカバー面２５を形成する。カバー面２５の弧は、外リング３の周縁部の円形状に適合されている。クランプ部２１の側方には、固定部２７が設けられている。固定部２７は、カバー面２５に対して所定の角度で傾斜しており、該固定部２７の自由端上に、互いに対向するキャッチ突部２９が、形成されている。溝状体１１の両側において、該溝状体１１の間で延在する壁部１３において、凹部３１が形成されている。この凹部３１は、径方向外側に向けて開口しており、保持体１５が取り付けられた場合、保持体１５の固定部２７と係合する。凹部３１において、キャッチ３３が設けられており、該キャッチ３３に、保持体１５のキャッチ突部２９が、ロックされ得る。これにより、接触面２３から、対応するケーブル７へ、保持力を伝達させるための引張動作として、径方向外側に向かう動作が可能となる。その一方で、締結ストラップ１７が張り渡され、それにより、対応するケーブル７が予め固定される前に、保持体は、ケーブルブッシュ５から脱落することから保護される。締結ストラップ１７用の側方のガイドとして、溝状体１１の間で延在する壁部１３は、その内部に、締結ストラップ１７の側方のガイドのためのガイド面３５を形成する。
【００２０】
図３、図５、および図６に示されている第２の例示的実施形態は、第１の例示的実施形態と、以下の点で異なっている。すなわち、第２の例示的実施形態においては、溝状体１１の間の連結が、側方の、軸方向外側に配置された壁部１３ではなく、中央に配置された壁部４１によって形成されている。壁部４１は、溝状部１１の開口から径方向の所定の距離の位置で終端する。これにより、溝状部１１の開口端上の外側部４３が、露出する。図３に明確に示されているように、これら外側部４３上に、保持体１５にロックするためのキャッチ３３が、設けられている。この例示的実施形態においては、キャッチ突部２９とキャッチ３３とのロック係合のために、保持体１５は、該保持体１５の固定部２７とともに、壁部４１の端部の上方において、溝状体１１の外側部４３上に覆い被さっている。なお、保持体１５の形状については、図５および図６に詳細に示している。図５および図６に示すように、この実施形態における保持体１５は、同一部材である２つの部材から構成され、これら２つの部材は、キャッチ片４５によって、互いに連結可能となっている。
【００２１】
第１の実施形態において締結ストラップ１７のガイドを形成した、軸方向外側の壁部１３を設けずに、図５および図６に個別に示されているように、保持体１５のカバー面２５上において、締結ストラップ１７用の側方のガイド面３５を形成するために、径方向に突出するガイド突部４７が、設けられている。
【００２２】
連続する溝状体１１の間で、締結ストラップ１７が捩じれてしまうのを防止するために、連続する溝状体１１の間のギャップ領域において、壁部４１の上端部の上に、支持部材４９が、設けられている。
【００２３】
図７〜図９に示されている他の例示的実施形態は、平坦な支持構造体に取り付けるのに、特に適している。一周する閉じられた環状リングを形成する、上述のベース体１の代わりに、この例示的実施形態においては、リング部５１の形態としてのベース体が設けられている。このリング部５１は、環状線の一部のみに亘って、延在している。リング部５１の端部は、桟部材によって連結され、該桟部材は、直線ビーム５３の形態として、リング部５１に一体的に設けられる。一方、この直線ビーム５３は、ブラケット５５に螺子止めされる。ブラケット５５は、平坦な鉄片の形態であって、ビーム５３の下側部と、その全面に亘って接している。ブラケット５５の端部５７および５９は、リング部５１の端部を越えて延在しており、ブラケット５５は、これらの端部セグメントの各々の上に、支持構造体への支持および取り付けのために、オフセット６１を有する。オフセット７１に近接して、ブラケット５５において、細長いスロット６５が設けられており、該スロット６５は、締結ストラップ１７用の引張手段１９のための、固定点として用いられる。なお、締結ストラップ１７は、上述した例示的実施形態のように、保持体１５上にてガイドされている。
【００２４】
上述の例示的実施形態と比較した場合の他の相違点は、以下である。すなわち、ケーブル７をクランプするために形成された、保持体１５のクランプ部２１が、保持体上に固定して配置されておらず、クランプ部２１が、バネハウジング７１内において可動にガイドされ、且つ、クランプされるべきケーブル７の方向に、複数の圧縮バネ６３からなるバネ組立体によって、予め付勢されている。図９によって示されているように、クランプ部２１は、長方形のプレートの形状を有し、その角部領域から、複数のガイド片６５が、バネハウジング７１内に延びている。そして、これらガイド片６５は、ガイド路６７内において、可動にガイドされている。バネ経路を限定し、バネ組立体によって付勢されているクランプ部２１が、バネハウジング７１から脱落してしまうのを防止するために、ハウジングのガイド６７と、クランプ部２１のガイド片６５の上に、ストップ突部７５および７３が、設けられている。上述の例示的実施形態のように、保持体１５は、リング部５１上に固定可能であり、該リング部５１は、保持体１５を予め固定するためのベース体を構成する。この目的のために、バネハウジング７１の角部領域上において、ロック片７７が設けられている。このロック片７７は、上述の実施例の固定部２７に相当し、キャッチ突部７９を形成する。このキャッチ突部７９は、上述の実施例のキャッチ突部２９に相当する。
【図１】
0005964827.tif 000002
【図２】
0005964827.tif 000003
【図３】
0005964827.tif 000004
【図４】
0005964827.tif 000005
【図５】
0005964827.tif 000006
【図６】
0005964827.tif 000007
【図７】
0005964827.tif 000008
【図８】
0005964827.tif 000009
【図９】
0005964827.tif 000010